(57)【特許請求の範囲】
【請求項１】
携帯式の移動無線装置（３）であって、
プログラム付随デジタルデータを有するラジオ番組を受信する無線受信機（３８）を含み、前記プログラム付随デジタルデータは、地理的な位置または領域を規定する位置パラメータを含んでおり、さらに、
前記移動無線装置（３）の実際の地理的位置を特定する位置特定モジュール（３９）と、
前記位置パラメータと前記実際の地理的位置とを比較することによって、前記プログラム付随デジタルデータから位置特定情報をフィルタリングする、前記無線受信機（３８）と前記位置特定モジュール（３９）とに接続されたフィルタモジュール（３７）とを含み、
前記無線移動装置（３）はさらに、前記移動無線装置から移動無線ネットワークを介してショートメッセージサービスセンタ（５）に前記位置特定情報を伝送する通信モジュール（３４）を含むことを特徴とする移動無線装置。
【請求項２】
前記移動無線装置（３）は移動無線ネットワーク（４）において通信し、そして前記位置特定モジュール（３９）はさらに前記移動無線ネットワーク（４）から位置表示を得ることを特徴とする請求項１に記載の移動無線装置。
【請求項３】
ユーザープロファイルを記憶するメモリモジュール（３５）をさらに含み、前記フィルタモジュール（３７）はさらに、前記ユーザプロファイルに含まれる情報に基づいて、前記プログラム付随デジタルデータから前記位置特定情報をフィルタリングすることを特徴とする請求項１または２のいずれか１項に記載の移動無線装置。
【請求項４】
前記位置特定情報を表示するディスプレイと、前記位置特定情報を選択し編集することを可能とする操作エレメントとをさらに含むことを特徴とする請求項１乃至３のいずれか１項に記載の移動無線装置。
【請求項５】
前記位置特定情報に含まれるプログラムデータファイルを実行する処理モジュール（３６）をさらに含むことを特徴とする請求項１乃至４のいずれか１項に記載の移動無線装置。
【請求項６】
無線送信機（１）によって送信されたプログラム付随デジタルデータを処理する方法であって、
携帯式の移動無線装置（３）の無線受信機が、地理的な位置または領域を規定する前記プログラム付随デジタルデータを受信する段階と、
前記移動無線装置（３）の位置特定モジュール（３９）が実際の地理的位置を特定する段階と、
前記無線受信機（３８）と前記位置特定モジュール（３９）とに接続されたフィルタモジュール（３７）が、前記プログラム付随デジタルデータに含まれる位置パラメータと前記実際の地理的位置とを比較することによって、前記プログラム付随デジタルデータから位置特定情報をフィルタリングする段階と、
前記移動無線装置の通信モジュール（３４）が前記移動無線装置から移動無線ネットワークを介してショートメッセージサービスセンター（５）へ前記位置特定情報を伝送する段階とを含むことを特徴とする方法。
【請求項７】
前記実際の地理的位置を特定する段階は、移動無線ネットワーク（４）から位置表示を得ることを含むことを特徴とする請求項６に記載の方法。
【請求項８】
前記位置特定情報をフィルタリングする段階は、前記移動無線装置（３）のメモリモジュール（３５）に記憶されたユーザプロファイルに含まれる情報に基づいて、プログラム付随デジタルデータから位置特定情報をフィルタリングすることを含むことを特徴とする請求項６または７のいずれか１項に記載の方法。
【請求項９】
前記位置特定情報に含まれるプログラムデータファイルを前記移動無線装置（３）の処理モジュール（３６）内で実行する段階をさらに含むことを特徴とする請求項６乃至８のいずれか１項に記載の方法。
【発明の詳細な説明】
【０００１】
【発明の属する技術分野】
本発明は、プログラム付随データを受信し処理する移動無線装置とその動作方法に関する。特に、本発明は、少なくとも一定の部分に場所のパラメータを含む、ラジオ送信局から送信されるプログラム付随のデジタルデータを受信し処理する移動無線装置とその動作方法に関する。
【０００２】
【従来の技術】
プログラム付随データを受信するラジオ受信機やテレビ受信機と、受信したプログラム付随データを表示するディスプレイとを有する装置は公知であり、市販されている。特にこのような装置は、デジタルラジオシステムＤＡＢ（デジタルオーディオ放送）や、ＦＭ−ＳＷＩＦＴ、ＦＭ−ＤＡＲＣのような別のラジオシステム、または標準的には全て単方向性で動作するテレテキストを備えたテレビ受像機用として入手可能である。このような装置によって情報を受信し表示はできるものの、ユーザーは、本人が選択したテーマに関する情報やユーザーの実際の地域でだけ重要である特定の目的に合致する情報を受信することはできない。
【０００３】
欧州特許出願ＥＰ２５９７１７号には、内容に沿ったコードを有する広告目的のプログラム付随データを送信する方法が記載されている。ユーザーは、携帯式の受信機を適当なコードでプログラムすることによって、例えば不動産の広告のような特定の目的に合わせた情報を受信することができる。しかし、ＥＰ２５９７１７号に記載されている方法では、ユーザーは携帯受信機でその実際の地域と関連する特定の目的に合致したデータを受信できない。
【０００４】
【発明が解決しようとする課題】
本発明の目的は、特に目的に合致した位置特定情報を受信し処理するために、プログラム付随データを受信し処理する新規の移動無線装置と新規の方法を提供することにある。
【０００５】
【課題を解決するための手段】
本発明に基づいて上記の目的は、特に独立クレームの要素によって達成される。さらに、その他の有利な実施形態は従属クレームおよび発明の説明に記載されている。
【０００６】
特に、上記の目的は、例えば携帯電話やパームトップ、またはラップトップコンピュータのような移動無線装置が、プログラム付随のデジタルデータを含むラジオ番組を受信するなラジオ受信機を備え、受信したプログラム付随データの少なくとも一定の部分は場所のパラメータを含み、移動無線装置がさらに位置特定モジュールおよびフィルタモジュールを備え、フィルタモジュールは、位置特定モジュールによって特定された実際の位置に基づいて、受信したプログラム付随データから位置特定情報をフィルタリングする、という本発明によって達成される。これは、上述の移動無線装置のユーザーが目的に合わせて位置特定情報の提供を受けることができるという利点を備えている。
【０００７】
様々な実施形態において、位置特定モジュールは、例えば全地球位置発見システム（ＧＰＳ）のような衛星を利用した位置発見システム用または地上位置発見システム用の受信機を備え、例えばＧＳＭまたはＵＭＴＤネットワークのような移動無線ネットワークから位置情報を受けることができる。
【０００８】
移動無線装置は、好適にはユーザープロフィルを記憶するメモリモジュールを備えており、そのユーザープロフィルに基づいて、受信したプログラム付随データを上記フィルタモジュールによってフィルタリングする。これには、移動無線装置のユーザーが、受信したプログラム付随データから目的に合わせて特定の情報をフィルタリングすることができるという利点があり、位置特定情報のフィルタリングと組合わせて実施することが可能である。ユーザーは、例えばユーザープロフィルに、関心のある目的に合致した特定のカテゴリーや専門分野を指定できるので、当該ユーザーに対し、受信したプログラム付随データから、このカテゴリーや専門分野の位置特定情報をフィルタリングすることができる。さらに、ユーザープロフィルにおいて、位置特定情報をフィルタリングする際に考慮に入れるべき領域、例えば実際の位置を中心にした半径を指定することも可能である。
【０００９】
移動無線装置は、フィルタリングされたプログラム付随データを表示できるディスプレイを備えていることが望ましい。
【００１０】
移動無線装置は、フィルタリングされたプログラム付随データを選択し、編集できる操作エレメントを備えていることが望ましい。
【００１１】
好適には、移動無線装置は、例えばＧＳＭネットワークやＵＭＴＳネットワークを介したＳＭＳ（ショートメッセージサービス）やＵＳＳＤショートメッセージ（非構造補足サービスデータ）のような特別なショートメッセージで、選択されフィルタリングされたプログラム付随データをサービスセンターに伝送する通信モジュールを備える。サービスセンターは、例えばショートメッセージサービスセンター（ＳＭＳＣ）である。この移動無線装置には、上述したことにより、プログラム付随データの単方向での送信によって開始されるマルチウェイ通信を実現できるという利点がある。
【００１２】
１つの実施形態では、受信したプログラム付随データの少なくとも一定の部分は、製品識別番号と付属する供給業者の識別番号とを有する注文番号を含んでおり、上記移動無線装置は、選択された注文番号を当該注文番号によって識別される供給業者に伝送する通信モジュールを含み、例えばＧＳＭネットワークやＵＭＴＳネットワークを介したＳＭＳ（ショートメッセージサービス）やＵＳＳＤショートメッセージ（非構造補足サービスデータ）のような特別のショートメッセージで、当該注文番号がサービスセンターに伝送する。このサービスセンターは、例えばショートメッセージサービスセンター（ＳＭＳＣ）である。注文番号は前記移動無線装置のユーザーのユーザー識別データと結合され、結合されたデータは上記供給業者に送られる。
【００１３】
１つの実施形態では、受信したプログラム付随データの少なくとも一定の部分はＵＲＬアドレスを含んでおり、移動無線装置は、上記ＵＲＬアドレスによってアドレス指定されたインターネット内のリソースを制御できる通信モジュールを含んでいる。
【００１４】
１つの実施形態では、受信したプログラム付随データの少なくとも一定の部分は移動無線装置の処理モジュールで実施することが可能なプログラムデータを含んでいる。
【００１５】
【発明の実施の形態】
本発明を下記の実施形態に基づいて説明する。実施形態は以下の図面に図示されている。
【００１６】
以下の実施形態において、参照番号１は、プログラム付随データを送信することができる無線送信局を示しており、この送信局は例えば全国や地方のラジオ局、または例えば見本市の会場または展示会の会場のような狭く限定された地理的な地域をカバーする送信局でよい。ラジオ送信局１は特にプログラム付随データをも送信可能である、例えば、ＦＭ送信局である。ラジオ番組の伝送の他に、プログラム付随データの伝送は、とりわけデジタル無線システムＤＡＢ（デジタルオーディオ放送）、またはＦＭ−ＳＷＩＦＴやＦＭ−ＤＡＲＣのような別の無線システムで行われる。例えば、ＤＡＢ技術によって、ラジオ番組だけではなく、プログラム付随サービス（Ｐｒｏｇｒａｍ  Ａｓｓｏｃｉａｔｅｄ  Ｄａｔａ，ＰＡＤ）もまた伝送可能である。例えば、ＤＡＢデータを用いると、それぞれ１５０キロバイトの容量のアドレス指定が可能な８つのチャネルで伝送が可能であり、このチャネルのアドレスを指定することによって、データを別個にアドレス指定された受信機、限定されてグループの複数の受信機（マルチキャスト）、または全ての受信機（放送）に送信することが可能となる。
【００１７】
本発明に基づいて、ラジオ送信局１から送信されるプログラム付随データの少なくとも一定の部分は位置パラメータを含んでおり、これは、そのプログラム付随データが関連する地理的な位置や領域を規定する。例えば、位置パラメータは、見本市や展示会の会場内の一定の場所を規定し、また特定の製品やサービスを提供する販売所と関連する、地理的な座標を含んでいる。
【００１８】
ラジオ送信局１から出ている一方向の矢印２で示すように、例えば製品やサービス業務、または実施可能なプログラムデータに関する広告情報のようなプログラム付随デジタルデータは、場合によってはオーディオプログラムと共に送信局１から送信され、例えば対応するラジオ受信機３８（図２を参照）を備えた移動無線装置３によって受信される。ラジオ受信機３８は、例えばＤＡＢラジオ受信機、またはＦＭ−ＳＷＩＦＴやＦＭ−ＤＡＲＣやその他の方式によってプログラム付随データを受信するラジオ受信機である。
【００１９】
可能な１つの実施形態において、送信され受信した音声信号はラジオ受信機３８から増幅器（図示せず）に送られ、専門家には公知である低周波増幅器によって増幅され、増幅された電気信号は１つまたは複数のスピーカ（図示せず）やヘッドフォンに接続するジャック（図示せず）に印加される。
【００２０】
上記実施形態はラジオ送信局とラジオ受信機とに関するものであるが、別の実施形態では、プログラム付随データを伴うオーディオ番組を送信するラジオ送信局の代わりに、例えば、対応するテレビ受像機３８によって受信されるテレテキスト情報のようなプログラム付随データを伴うテレビ番組を送信するテレビ局を想定することもできることをまず述べておく必要があろう。ビデオ番組は、例えば従来の電子ブラウン管、ＬＣＤ、プラズマディスプレイ、またはバーチャル網膜ディスプレイのような移動無線装置３のテレビ画面３１に表示できる。
【００２１】
図２に示すように、ラジオ受信機３８は、受信したプログラム付随デジタルデータを、概略的に示した接続線を経てフィルタモジュール３７へと送る。
【００２２】
本発明に基づいて、移動無線装置３はさらに、（移動無線装置３の）実際の地理的な位置を特定できる位置特定モジュール３９を有している。位置決定は、周期的に実施されるか、または、移動無線装置３のフィルタモジュール３７からの要請や移動無線装置のユーザーの要望、例えば操作エレメント３２を使用した命令として入力されることで実施され、その後でユーザーに対して特定の実際の位置を移動無線装置３のディスプレイ３１に表示する。位置特定モジュール３９は、特に差動式全地球位置発見システム（ＧＰＳ）のような公知の衛星を利用した位置特定システムに基づいて動作し、それに対応して公知のＧＰＳ受信機を備えている。１つの実施形態では、位置特定モジュール３９は地上位置発見システムに基づいて動作し、移動無線ネットワーク４から位置の提示を得る。この場合には、移動無線装置３は、例えばＧＳＭネットワークやＵＭＴＳネットワークのような移動無線ネットワーク４で通信する通信モジュール３４を備えた移動式ラジオである。
【００２３】
図２に示すように、位置特定モジュール３９は、概略的に図示した接続線を経て、特定の実際の位置をフィルタモジュール３７へと送る。
【００２４】
フィルタモジュール３７は、例えば移動無線装置３のプログラムメモリに記憶されている、移動無線装置３のプロセッサで実行されるプログラミングされたソフトウェアである。１つの実施形態では、例えばＳＩＭカード（加入者識別モジュール）のような移動無線装置３の識別カード、例えばチップカード３３に、フィルタモジュール３７を記憶し実施するプロセッサとプログラムメモリとが備えられている。フィルタモジュール３７は、ラジオ受信機３８から受信したプログラム付随データと位置特定モジュール３９から特定された実際の位置とを受け、例えば地理的な座標のようなプログラム付随データに含まれている位置パラメータと実際の位置とを比較する。位置パラメータと実際の位置とが一致した場合には、該当するプログラム付随データを位置特有の情報として処理モジュール３６へ送ることができる。例えば、受信した位置パラメータの地理的な座標と特定された実際の位置とが同一であるときやその差が予め規定された領域内にあるときには一致と見なさる。上記領域は、以下に詳細に説明するユーザープロフィルにおいてユーザーが設定することもできる。フィルタモジュール３７は、位置パラメータを含んでいないプログラム付随データやその位置パラメータが実際の位置と一致しないプログラム付随データを無視することができる。
【００２５】
フィルタモジュール３７のフィルタ機能は、補足的には、メモリモジュール３５に記憶されているユーザープロフィルのパラメータによっても特定できる。ユーザープロフィル３５とは、例えば当該ユーザーが関心を持つ特定のカテゴリーや専門分野の情報を定義するキーワード付きの表である。ユーザープロフィル３５は、例えば位置特定情報のフィルタリングに影響を及ぼす、ユーザーによって入力される情報を含むこともできる。例えば、ユーザーは、実際の位置に応じて位置特定情報のフィルタモジュール３７によるフィルタリングの際に、考慮に入れるべき地理的な領域、例えば領域半径を指定することができ、また、ユーザーは、例えば位置特定情報のフィルタリングを遮断することができる。
【００２６】
ユーザープロフィル３５は、例えば対応するソフトウェアプログラムを利用してユーザーが処理モジュル３６に入力することができ、その際、上記ソフトウェアプログラムは、操作エレメント３２を用いてユーザーが入力した命令を受け入れ、入力された数値、機能メニュー、およびユーザープロフィル３５の内容を移動無線装置３のディスプレイ３１に表示することができる。ユーザープロフィル３５は、例えばＪａｖａ−Ａｐｐｌｅｔのような実装可能なプログラムアプレットに統合することができ、例えば、ユーザーが、外部からパーソナルコンピュータに入力、編集することができる。その場合、外部で規定され、編集されたアプレットを、例えばＵＳＳＤメッセージまたはＳＭＳショートメッセージのような特定のショートメッセージを利用して移動無線装置３にロードすることができる。以下に述べるように、上記の処理モジュール３６は、さらに別のソフトウェアプログラムおよびソフトウェア機能を含んでおり、移動無線装置３のプロセッサで実行し、移動無線装置３のプログラムメモリに記憶しておくことができる。１つの実施形態では、処理モジュール３６を記憶し実施するプロセッサとプログラムメモリは、ＳＩＭカードのような移動無線装置３の識別カード、例えばチップカード３３で実施することができる。
【００２７】
処理モジュール３６は、ソフトウェア機能を利用して、フィルタモジュール３７によってフィルタリングされ、さらにユーザープロフィル３５に設定された情報の領域を限定された位置特定情報を受け、例えば移動無線装置３のディスプレイ３１に表示する。処理モジュール３６内の対応するソフトウェア機能は、操作エレメント３２を利用してユーザによって入力された、表示されているフィルタリング済み情報に対するブラウズ、選択、編集命令を受け、入力された命令に対応して、ディスプレイ３１に表示された情報をフォローする。ユーザーが選択したデータ用の処理モジュール３６は、フィルタリングされたプログラム付随データの内容に応じて、当該データに対して可能な別の機能を備えたメニュをディスプレイ３１に表示するか、または、特定の機能だけしか選択できない場合は、選択されたデータに対して当該特定の機能を実施するか否かの確認をユーザーに求める。
【００２８】
特に、受信されフィルタリングされた位置特定データは、例えばサービスセンター５に伝送するために、処理モジュール３６から移動無線装置の通信モジュールへと伝送される。通信モジュール３４は、例えばＧＳＭネットワークまたはＵＭＴＳネットワークのような移動無線ネットワーク４で通信するための、そして移動無線ネットワーク４で例えばＳＭＳまたはＵＳＳＤメッセージのような特定のショートメッセージを伝送するための公知の構成部品を備えている。サービスセンター５は、移動無線ネットワーク４に接続された、例えば公知のショートメッセージサービスセンター（ＳＭＳＣ）を含み、移動無線ネットワーク４を経て伝送されたショートメッセージを受け、処理することができる。それによって、特に欧州特許ＥＰ６８９３６８号に記載されているＳＩＣＡＰ方式による通信モジュール３４とサービスセンター５との間の注文処理が可能になる。
【００２９】
（第１の利用例）
第１の利用例では、位置特定データは製品の注文番号、サービス業務、または情報請求を含んでおり、これには当該製品等の識別番号と、当該供給業者やサービス業者に付属する供給業者識別番号とが含まれている。位置特定注文番号は公開されている特許出願ＷＯ９８／２８９００による注文方式で利用することができ、上記のように注文番号は通信モジュール３４からサービスセンター５に伝送され、注文番号は識別データと結合される。この識別データは、移動無線装置３のユーザーと関連し、サービスセンター５にアクセスするネットワークデータバンクから引き出され、注文番号に記載されている供給業者８、またはサービス業者８へと伝送される。通信モジュール３４の注文番号をサービスセンター５に伝送する前に、場合によっては、例えば注文される製品の数や支払いと支払い方法に関する指示のような当該注文にとって重要であるさらに別の情報をユーザーが入力することができ、注文番号と共に通信モジュール３４からサービスセンター５に伝送することができる。サービスセンター５からサービス業者８への注文データの送信は、例えば公衆交換電話回線網（Ｐｕｂｌｉｃ  Ｓｗｉｔｃｈｅｄ  Ｔｅｌｅｐｈｏｎｅ  Ｎｅｔｗｏｒｋ／ＰＳＴＮ）のような固定回線網９を介して行われ、またはインターネットプロバイダ６を経てインターネット７を介して行うことができる。例えば、催し物やイベントへの自動化された入場制御付きのコード化された入場券のような実行可能なプログラム、例えばＪａｖａ  Ａｐｐｌｅｔのような注文された商品と情報、並びにデータバンクから要求されたデータは，サービスプロバイダ（供給業者）８から、例えば直接移動無線ネットワーク４を介して移動無線装置３に転送され、そこで適宜に記入、記憶、あるいは表示される。関連する商品、情報、またはサービスの適切な決済は、当該のユーザーの口座で処理することができ、その場合、この口座は、例えば移動無線装置３のチップカード３３に存在し、例えばプリペイドされた金額を含んでいる。
【００３０】
（第２の利用例）
第２の利用例では、位置特定データは、ＵＲＬアドレスによってアドレス指定されたインターネット７内のリソース８を制御するために、通信モジュール３４が利用することが可能なＵＲＬ（汎用リソースロケータ）アドレスを含んでいる。これは、例えばサービスセンター５とインターネットのサービスプロバイダ６とを介して通信モジュール３４が制御するインターネット７内の特定のウェブサイト８、または特定のホームページである。サービスセンター５は、例えばショートメッセージサービスセンター（ＳＭＳＣ）を含んでおり、当該ＵＲＬアドレスは、上記のように、例えばＳＩＣＡＰ方式に基づいて適宜の指令とともに移動無線装置３からサービスセンター５へと送られ、そこから特定のサービスを介してインターネットプロトコル（ＩＰ）を利用して、インターネットサービスプロバイダ６を経てアドレス指定されたインターネット７内のリソース８へと送ることができる。サービスセンター５は、例えば適宜の構成部品を利用して移動無線ネットワーク４の信号システムに接続することができ、ＵＲＬアドレスによってアドレス指定されたインターネット７のリソース８をインターネットプロトコル（ＩＰ）を利用してインターネットサービスプロバイダ６のプロトコル（ＩＰ）を介して制御するために、例えばインターネットサービスプロバイダ（ＨＬＲ）を利用して信号システムナンバー７（ＳＳ７）に接続でき、さらに適宜のゲートウェイやコンバータ機能を利用することができる。インターネット７内の制御されたリソース８は、処理モジュール３６の適宜のブラウジング機能を利用して移動無線装置のディスプレイ３１に表示され、移動無線装置３のユーザーによるエレメント３２の操作を介してナビゲートされる。
【００３１】
（第３の利用例）
第３の利用例では、位置特定データは、例えば移動無線装置３の処理モジュール３６内で実施可能なＪａｖａ  Ａｐｐｌｅｔのような実施可能なプログラムデータを含んでいる。移動無線装置のユーザーは、例えば上記のメニュー機能を介して、受信した実行可能なプログラムデータを直接実行するのか、単にメモリモジュール３５に記憶しておき、後の時点で実行するのかを選択することができる。
【００３２】
プログラム付随データの機密性の度合いに応じて、前記のデータを、セーフティサービスを利用してラジオ送信局１から移動無線装置３に、あるいは移動無線装置３からサービスセンター５に伝送することができ、そのためには、例えばＴＴＰ（委託第３者）方式またはＰＴＰ（ポイントツーポイント）方式を採用できる。
【００３３】
前述したように、受信されフィルタリングされた位置特定データは、例えば見本市の会場または展示会の会場の特定の位置に関する広告情報を含むことができ、または製品やサービスの特定の販売所に関することができ、当該位置特定データは、例えば記載された注文番号を含むことができる。別の利用例においては、位置特定情報は、オーディオプログラムの音響情報に加え、ミュージアム内の展示品に関する説明と注釈を含むことができ、または聴覚障害者用の代替方法として採用することができる。さらに高層ビル内では、ラジオ送信局１から送信された位置パラメータ内のプログラム付随データが高度表示を含み、また、実際の高度を特定するために、位置特定モジュール３９が上記位置特定手段の他に高度計をも含むことも有効である。それによって、前記のフィルタモジュール３７は、受信したプログラム付随データから補足的に位置特定情報をフィルタリングするために実際の高度を考慮に入れることができる。受信されフィルタリングされた位置特定データは勿論、例えば場所に応じた料金、交通情報、例えば道路網や空いている駐車場の方向指示、気象データ、時刻表、および公共交通手段の接続時間等、その他の多数の位置に応じた情報を含むことができる。
【００３４】
上記の発明の利用可能性、および位置特定情報の内容と利用目的は、ほぼ無限にあり、決して記載された例に限定されるものではない。
【００３５】
【発明の効果】
ここでは、前述したように特別に装備された移動無線装置３は、単一の筐体内に実装することができるが、上記の移動無線装置のそれぞれの特定のモジュールを収納した複数の別個の筐体内に実装することも可能であることを付記しておく。上記モジュールは、上記筐体内に設けられたインターフェースを介して互いに取り外し可能に接続されている。１つの実施形態では、第１の筐体は、例えば通信モジュール３４、ディスプレイ３１、および操作エレメント３２のような、従来の移動無線装置内に含まれているモジュールを格納し、一方、第２の筐体は、プログラム付随データを受信するラジオ受信機３８と、位置特定モジュール３９と、フィルタモジュール３７とを格納している。上記のインターフェースは、例えば適当な接点を取り付けたコンタクトインターフェース、または、例えば誘導性のインターフェースや赤外線インターフェース、特に、例えば２．４ＧＨｚで動作するいわゆる「ブルートゥース」インターフェースのような高周波インターフェースのようなコンタクトレスインタフェースである。専門家には、このようなモジュールに様々な構成の可能性があることが理解されよう。
【００３６】
ここで記載したような特殊な装備の移動無線装置３の他に、関心があるユーザーは、記載された特定の機能モジュールの少なくとも一定の部分を利用し、例えば従来の移動無線装置に接続可能である様々な適宜の拡張モジュールを購入・賃借でき、または適当なハードウェアモジュールを備えた移動無線装置を利用する関心があるユーザーは、この移動無線装置のメモリモジュールで上記の方式を実施するための適当なソフトウェアモジュールを購入して搭載できる。
【図面の簡単な説明】
【図１】  無線送信局と、サービスプロバイダへのアクセス付きのサービスセンターに接続されている移動無線ネットワークと連結された移動無線装置を備えた概略図である。
【図２】  無線受信機、位置特定モジュール、フィルタモジュール、通信モジュール、処理モジュール、メモリモジュール、ディスプレイ、および操作エレメントを有する移動無線装置のブロック図である。
【図１】
0003869212.tif 000002
【図２】
0003869212.tif 000003